(57)【要約】【課題】高温環境下で使用しても性能低下が少なく、高耐久性でかつ安価な回転コネクタおよびそれに用いるフラットケーブルを提供すること。【解決手段】回転コネクタ内部に設置されるフラットケーブルの構成を工夫する。具体的には、芯材を挟む絶縁フィルムの片側を基材フィルムに接着剤を塗布したもの、もう一方を接着剤なしの基材フィルムで構成し、接着剤面を内側に向けて芯材を挟み、接着することでフラットケーブルを構成した回転コネクタおよびそれに用いるフラットケーブル。【選択図】図１
2009076281.tif 000002
【特許請求の範囲】
【請求項１】
芯材を絶縁フィルムで挟むことで構成されるフラットケーブルを内蔵する回転コネクタであって、一方の絶縁フィルムには接着剤層が設けられ、一方の絶縁フィルムは芯材と前記接着剤層とに直接接し、もう一方の絶縁フィルムには接着剤層が設けられずに、芯材とは前記一方の絶縁フィルムに設けられた接着剤層を介して接する位置に芯材が設けられており、接着剤層が設けられていない絶縁フィルムの厚さの対向する接着層を含む絶縁フィルムの厚さに対する比（接着剤層無し絶縁フィルム厚／接着剤層あり絶縁フィルム厚）が０．５から２．０であることを特徴とする回転コネクタ。
【請求項２】
一方の絶縁フィルムに設けられた前記接着剤層がホットメルト接着剤からなるフラットケーブルを内蔵する請求項１に記載の回転コネクタ。
【請求項３】
一方の絶縁フィルムに設けられた前記接着剤層がポリエステル系ホットメルト接着剤からなるフラットケーブルを内蔵する請求項１に記載の回転コネクタ。
【請求項４】
一方の絶縁フィルムに設けられた前記接着剤層がポリアミド系ホットメルト接着剤からなるフラットケーブルを内蔵する請求項１に記載の回転コネクタ。
【請求項５】
請求項１から請求項４のいずれか１項に記載の回転コネクタ用のフラットケーブル。
【発明の詳細な説明】
【技術分野】
【０００１】
本発明は、回転軸を介して回転する回転側と、軸を支持する固定側の間で給電や信号伝達を行うために用いられる回転コネクタおよびそれに用いるフラットケーブルに関するものである。
【背景技術】
【０００２】
例えば特許文献１〜３に示される回転コネクタの内部には固定側と回転側を接続するようにフラットケーブルが内蔵されている。ここで使用するフラットケーブルは導体や光ファイバーなどの芯材を両側から絶縁性のフィルムで挟み込んで構成される。通常、フィルムと芯材、またフィルム同士は接着剤で固定される。図４は、従来の回転コネクタに内蔵されるフラットケーブルの概略断面図である。図中、１２は基材フィルム、１３は芯材、１５は接着剤層である。接着剤層１５を形成する接着剤としては熱ロールで加熱、加圧するだけで容易に接着できるホットメルト接着剤を使用するのが一般的である。このホットメルト接着剤は単体でフィルム状に成型したものを基材フィルムで挟んで熱ロールに通す方法もあるが、基材フィルムに予めホットメルト接着剤を塗工してラミネートフィルムを構成する方法が生産性が高いため一般的である。
【０００３】
接着剤は一般的に昇温と共に軟化してしまうため、高温環境下では物理的な特性を大いに損なうものがほとんどである。特にホットメルト接着剤は高温環境下で急激に軟化してしまうため、フラットケーブルを高温環境にさらしたまま屈曲変形を繰り返すと内部の芯材が接着剤内部で動いてしまい、芯材同士の短絡や、芯材に引張圧縮方向のストレスを生じ破断、断線などの不具合を生じる場合がある。
【０００４】
特許文献１に記載されているようなフラットケーブルが一方向だけに巻回されている回転コネクタを高温環境下で動作させると上記のようにフラットケーブルの接着剤の軟化を生じ、内部の芯材が動いてしまう。その結果芯材に異常な応力が発生し早期に破断してしまうという不具合がよく見られる。この場合、芯材は巻回の外側方向に移動することが多く、屈曲ひずみが接着剤の薄肉化した部分の芯材に集中し芯材が破断に至るが、このような性能低下は巻回外側の芯材サポート力不足が原因と考えられる。
【０００５】
また、特許文献２に記載されているようなフラットケーブルとダミーケーブルが複数内蔵されていて、それぞれが内側部材に巻回され、Ｕ字型の転回部を経て外側部材に逆方向に巻回されるタイプの回転コネクタの場合は、高温で動作させるとＵ字転回部で内部芯材が移動し、同様に早期破断に至る状況が頻発する。この場合もまた、芯材はＵ字転回部の外側方向に移動することが多く、その際に屈曲ひずみが接着剤の薄肉化した部分の芯材に集中し芯材が破断に至るが、このような性能低下はＵ字転回部外側の芯材サポート力不足が原因と考えられる。
【０００６】
加えて、特許文献３に記載されているようなフラットケーブルが内側部材に巻回され、Ｕ字型の転回部を経て外側部材に逆方向に巻回され、かつローラー状の部材でフラットケーブルを内側と外側に位置決めするタイプの回転コネクタの場合も、高温で動作させると内部芯材が移動し、同様に早期破断に至る状況が頻発する。ただしこの場合は、Ｕ字転回部の内側方向、つまりローラー部材に接触する側の接着層が移動して薄肉部分が生じており、そこに屈曲歪みが集中してしまったのが原因と考えられる。
【０００７】
この高温時の接着剤軟化による芯材の移動を妨げるために、ホットメルト接着剤に架橋剤を予め添加しておき、熱ロールによるラミネート加工後に架橋反応させるケースがあるが、万一ラミネート加工を行う前に接着剤の架橋反応が進行してしまうとフィルムと芯材、フィルム同士を十分に接着することができなくなるという問題を生ずる。その結果、架橋処理を行うホットメルト接着剤は低温で輸送、保管する必要が発生してしまい、同時に消費期限も数週間から１ヶ月程度と短くなってしまう。別の方法として電子線などの放射線を接着剤に照射することで架橋反応させる方法があるが、放射線は基材フィルムを通す必要があるため、接着剤に十分な放射線を照射するのが難しいこと、基材フィルムが放射線で劣化してしまうことから実用的ではない。
また、このホットメルト接着剤を基材フィルムに均一に塗工する工程は大変高コストで、その結果ホットメルト接着層を有するラミネートフィルムは高価になる点も問題である。
【０００８】
これらの欠点を有するフラットケーブルを回転コネクタに組み込むと、高温環境下では接着層の軟質化を引き起こし十分な回転耐久性を発揮できない。かつ回転コネクタの仕上がり価格も当然高いものとならざるを得ない。
【特許文献１】公開実用新案公報昭６２−１６８５８１号
【特許文献２】特開平５−２３４６５１号公報
【特許文献３】特開平５−１８４０４１号公報
【発明の開示】
【発明が解決しようとする課題】
【０００９】
高温環境下で使用しても性能低下が少なく、高耐久性でかつ安価な回転コネクタを提供すること。
【課題を解決するための手段】
【００１０】
本発明者は、絶縁フィルムのうち片側をホットメルト接着剤を有するラミネートフィルム、もう一方を接着層を省いた基材フィルムでフラットケーブルを構成し、このフラットケーブルを回転コネクタに組み込むことで、高温時の耐久性能が著しく向上しうることを見出した。本発明は、この知見に基づきなすに至ったものである。
すなわち、本発明は、
（１）芯材を絶縁フィルムで挟むことで構成されるフラットケーブルを内蔵する回転コネクタであって、一方の絶縁フィルムには接着剤層が設けられ、一方の絶縁フィルムは芯材と前記接着剤層とに直接接し、もう一方の絶縁フィルムには接着剤層が設けられずに、芯材とは前記一方の絶縁フィルムに設けられた接着剤層を介して接する位置に芯材が設けられ、接着剤層が設けられていない絶縁フィルムの厚さの対向する接着層を含む絶縁フィルムの厚さに対する比（接着剤層無し絶縁フィルム厚／接着剤層あり絶縁フィルム厚）が０．５から２．０であることを特徴とする回転コネクタ、
（２）一方の絶縁フィルムに設けられた前記接着剤層がホットメルト接着剤からなるフラットケーブルを内蔵する（１）項記載の回転コネクタ、
（３）一方の絶縁フィルムに設けられた前記接着剤層がポリエステル系ホットメルト接着剤からなるフラットケーブルを内蔵する（１）項記載の回転コネクタ、
（４）一方の絶縁フィルムに設けられた前記接着剤層がポリアミド系ホットメルト接着剤からなるフラットケーブルを内蔵する（１）記載の回転コネクタ、および、
（５）（１）から（４）のいずれか１項に記載の回転コネクタ用のフラットケーブル、
を提供するものである。
【発明の効果】
【００１１】
本発明により、耐久性能、特に高温環境下での耐久性能に優れる安価な回転コネクタを提供することができた。
【発明を実施するための最良の形態】
【００１２】
本発明の回転コネクタは、芯材を絶縁フィルムで挟むことで構成されるフラットケーブルを内蔵し、内蔵されるフラットケーブルの一方の絶縁フィルムは接着剤層を芯材ともう一方の絶縁フィルムと接する位置に有し、もう一方の絶縁フィルムには接着剤層が設けられておらず、かつ接着剤層が設けられていない絶縁フィルムの厚さの対向する接着層を含む絶縁フィルムの厚さに対する比が０．５から２．０である。
図１は、本発明の一実施態様の回転コネクタに内蔵されるフラットケーブルの概略断面図である。本発明の別の実施態様は、上記のフラットケーブルである。図１中、１は基材フィルムと接着層を有するラミネート絶縁フィルム、２は基材フィルムからなる絶縁フィルム、２ａ、２ｂは基材フィルム、３は芯材、５は接着剤層である。絶縁フィルム１は、基材フィルム２ａ上に接着剤層５を、芯材３ともう一方の絶縁フィルム２と接する側の面上に有している。
【００１３】
絶縁フィルム２の厚さの対向する絶縁フィルム１の厚さに対する比（絶縁フイルム２の厚／絶縁フィルム１の厚）は０．５〜２．０であり、１．０近傍とすることがさらに好ましい。
【００１４】
絶縁フィルム同士の接着力を強化するために接着層のない方のフィルム内面にプライマーやコロナ処理などの表面改質処理を施しても良い。またラミネートフィルムの基材フィルムと接着層の馴染みをよくするためにこれらの間に表面改質処理を実施してもよい。尚、表面改質処理面と接着層の表面の違いは、接着力の相違を評価すれば可能となる。すなわち、表面改質処理面と接着層の表面のいずれかの同一表面同士を対向させて２００℃で熱プレスした際に、熱プレスした対向面同士が融着する場合を接着表面、しない場合を表面改質処理面とする。また、加工したフラットケーブルについては、対向する処理層が導体の芯材と接着しているかどうかで判断できる。フラットケーブルを加工した後に導体などの芯材と接着しているかどうかで定義し、芯材と接着している場合は接着層、していない場合を表面改質処理と定義する。
【００１５】
基材フィルムとしてはポリエチレンテレフタレート、ポリブチレンテレフタレート、ポリエチレンナフタレート、ポリオレフィン、ポリアミド、ポリフェニレンサルファイド、ポリイミド、ポリエーテルイミド、ポリエーテルエーテルケトン、ポリエーテルサルフォン、ポリカーボネートなど工業的に生産できる絶縁フィルムであればなんでもよいが、価格と耐熱性、耐屈曲性のバランスからポリエチレンテレフタレートかポリエチレンナフタレートが好適で、更に最も良いと思われるのはポリエチレンテレフタレートである。
【００１６】
接着剤としては絶縁フィルムと芯材を接着できるものであれば何でもよく、ホットメルト型、二液混合型、水分、酸素等との反応型など自由に選択することができる。中でも生産性の高い熱ロールを用いた熱ラミネート法を使用できるホットメルト型の接着剤が好適である。
また、接着剤のベース材料としては例えばポリエステル系、ポリオレフィン系、ＥＶＡ系、ポリアミド系、シリコーン系、エポキシ系、ポリウレタン系などがあり、ホットメルト型の接着剤としてはポリエステル系とポリアミド系が耐熱性と接着能力のバランスから最適である。
【００１７】
尚、接着層を設ける側の絶縁フィルムの構成については、基材フィルム厚と接着層厚の比は自由に取ることが出来るが、（基材フィルム厚）÷（総絶縁フィルム厚）の値が０．２５〜０．７５が好適である。
【００１８】
基材フィルムと接着剤の接着力を高めるために、基材フィルムの接着される側の面に表面改質処理を施しても良い。表面改質処理としてはシラン系、ウレタン系、チタン系などのプライマー処理がある。またプライマー処理の代わりにコロナ処理やプラズマ処理などによって基材フィルム表面の接着性を高めることも可能であるしこれらを組み合わせることも非常に有用である。この表面改質処理はラミネートフィルムの基材フィルムと接着剤の間、接着剤無しの基材フィルムの接着面側いずれにも実施可能で、両フィルムの接着剤と触れる面全域に処理するのが最も好適である。
【００１９】
本発明の芯材としては、任意の材質のものであってよいし、任意の断面の形状を有するものであってよく、例えば、丸断面導体等任意の導体、被覆電線等任意の電線または任意の光ファイバ等が挙げられる。芯材の本数は特に制限はないが２〜３０本が好ましい。芯材の厚さ、直径は特に制限はないが２５〜２５０μｍが好ましい。芯材の幅も特に制限はないが０．２５〜１５ｍｍが好ましい。芯材同士の間隔も絶縁が保たれる限り特に制限はないが０．５〜５ｍｍが好ましい。
【００２０】
フラットケーブルの幅は特に制限はないが、２〜１００ｍｍが好ましく、その幅は前記基材フィルムの幅に対応する。
【００２１】
図２は、本発明の一実施態様の回転コネクタに内蔵されるフラットケーブルを製造する装置の一例の説明図である。この装置においては、巻いた状態の絶縁フィルム１と絶縁フィル２がそれぞれｈおよびｉ方向に送りだされ、芯材３をはさみ込み、熱ロール４を通過させることにより、接着剤を融着させｊ方向に送り出し、フラットケーブルが製造される。
【００２２】
上記のフラットケーブルは常法により回転コネクタに内蔵することができる。本発明に好適に用いることができる回転コネクタとしては、それに限定されるものではないが、例えば公開実用新案公報昭６２−１６８５８１号に示されるようなフラットケーブルを一方向単純スパイラル形状に巻回する回転コネクタ、例えば特開平５−２３４６５１号公報に示されるようなフラットケーブル巻回方向にＵターン部を有するものでダミーケーブルを用いるタイプの回転コネクタ、例えば特開平５−１８４０４１号公報に示されるようなフラットケーブル巻回方向にＵターン部を有するものでローラー部材を用いる回転コネクタなどを挙げることができる。
【００２３】
図３は、本発明の回転コネクタの好ましい一実施態様を示す横断面図である。この回転コネクタは、フラットケーブル巻回方向にＵターン部を有するものでダミーケーブルを用いるタイプの回転コネクタの一例であり、フラットケーブル２１の内端を内側ケース２３の胴部２３ａに固定すると共に、フラットケーブル２１の外端を外側ケース２５の外筒部２５ａに固定し、かつフラットケーブル２１の内端側を胴部２３ａに一方向に巻き付けると共に、フラットケーブル２１の外端側を内端側とは巻き方向が逆になるように外筒部２５ａの内側に巻き込んで、フラットケーブル２１の中間部に巻き方向反転部２１ａを設けてある。
【００２４】
この実施態様の回転コネクタでは、フラットケーブル２１に、３枚のダミーケーブル３１Ａ、３１Ｂ、３１Ｃが巻き重ねられている。各ダミーケーブル３１Ａ〜３１Ｃはフラットケーブル２１と同様に、内端が内側ケースの胴部２３ａに固定され、外端が外側ケースの外筒部２５ａに固定され、かつフラットケーブル２１と同方向に巻かれて、中間部に巻き方向反転部３１ａ、３１ｂ、３１ｃが設けられている。フラットケーブル２１の巻き方向反転部２１ａとダミーケーブル３１Ａ〜３１Ｃの巻き方向反転部３１ａ〜３１ｃは周方向にほぼ等しい間隔をあけて配置されている。
【００２５】
これによりフラットケーブル２１は周方向の４箇所で各巻き方向反転部２１ａ、３１ａ、３１ｂ、３１ｃの弾性反発力により胴部２３ａおよび外筒部２５ａに押し付けられるため、内側ケース２３または外側ケース２５を往復回転させても、フラットケーブル２１にたるみが発生することがなくなり、フラットケーブルのたるみによるトラブルの発生をなくすことができる。なおダミーケーブル３１Ａ〜３１Ｃとしてはフラットケーブル２１とほぼ同サイズで、同等の弾性を有するポリエステルテープまたはポリイミドテープ等を使用することができる。
【実施例】
【００２６】
以下に実施例に基づき本発明をさらに詳細に説明するが、本発明はこれらに限定されるものではない。
【００２７】
本実施例において、フラットケーブルを作成に用いた材料は以下のとおりである。
［基材フィルム］
ポリエチレンテレフタレートフィルム：ルミラーＳ１０「商品名、東レ製」
ポリエチレンナフタレートフィルム：テオネックス「商品名、帝人デュポンフィルム（株）製」
［接着剤］
ポリエステル系ホットメルト接着剤：ＴＸ−３３％「商品名、東特塗料（株）製」
ポリアミド系ホットメルト接着剤：マクロメルト６２３９「商品名、ヘンケルジャパン（株）製」
［ラミネートフィルム］
２５〜５０μｍ厚、幅１２００ｍｍの上記基材フィルムに上記接着剤を２０〜６０μｍの仕上がり厚さになるように塗工・一体化し、ラミネートフィルムを得た。これを１５０ｍｍ幅に裁断して紙管を芯にしてロール状に巻き取っておいた。
［接着層無しフィルム］
基材フィルムをそのまま、もしくは各種表面処理を実施したものについて１５０ｍｍ幅に裁断して紙管を芯にしてロール状に巻き取っておいた。
【００２８】
［フラットケーブル］
芯材として厚さ３０〜２００μｍ、幅０．５〜１０．０ｍｍの平角導体を幅方向に複数本並べ、前記芯材を各ラミネートフィルムや基材フィルムにてはさみ込み、１４０〜１８０度の熱ロール間を通過させることにより、接着剤を融着させ、各フラットケーブルを得た。
【００２９】
実施例Ａ１〜Ａ４は芯材として厚さ２００μｍ、幅２．０ｍｍの４芯の平角導体を、外側又は内側のいずれかの被覆樹脂層の被覆樹脂に関して、チタン系のプライマーとポリエステル系のホットメルト接着剤を用いて試験を行ったものである。ここで、接着剤層を含む両被覆層の比率（接着剤層無し絶縁フィルム厚／接着剤層あり絶縁フィルム厚）を５１％とし、比較例Ａ０は、絶縁フィルムの両側に接着剤層を設けた場合で、比較例Ａ１，Ａ２は接着剤層を片側に設けてＡ１は接着剤層を含む両被覆層の比率を５０％以下とした場合で、Ａ２は接着剤層を含む両被覆層の比率を、２００％以上に設定した場合である。
［回転コネクタＡ］
表１に示す構成のフラットケーブルを、公開実用新案公報昭６２−１６８５８１号の第１図に記載されたフラットケーブルを一方向単純スパイラル形状に巻回する回転コネクタに組み込んだ。フラットケーブルが収まる空間の大きさは外側ケースの内径が直径８５ｍｍ、内側ケース外形が直径４５ｍｍである。
【００３０】
実施例Ｂ１〜Ｂ１２は、実施例Ａの系統のとは異なり芯材厚さを２００μｍから３０μｍと薄くしたもので、芯材として厚さ３０μｍ、幅２．０ｍｍの４芯の平角導体を、用いたものである。ここで、まず実施例Ｂ１〜Ｂ８は、外側又は内側のいずれかの被覆樹脂層の被覆樹脂に関して、プライマーや表面処理の種類、接着剤の種類を変えて試験を行ったものである。
接着剤層を含む両被覆層の比率（接着剤層無し絶縁フィルム厚／接着剤層あり絶縁フィルム厚）を約７８％か８５％の範囲にした場合で、さらに、Ｂ９〜Ｂ１２は、その比率を本発明の上下限に相当する５０〜２００％の範囲とした場合である。比較例Ｂ０〜Ｂ２において、比較例Ｂ０は絶縁フィルムの両側に接着剤層を設けた場合で、比較例Ｂ１，Ｂ２は接着剤層を片側に設け、さらに比較例Ｂ１は接着剤層を含む両被覆層の比率を５０％以下とした場合で、比較例Ｂ２は、接着剤層を含む両被覆層の比率を２００％以上に設定した場合である。
［回転コネクタＢ］
表２〜３に示す構成のフラットケーブルを、図３に示すフラットケーブル巻回方向にＵターン部を有するものでダミーケーブルを用いるタイプの回転コネクタに組み込んだ。フラットケーブルが収まる空間の大きさは外側ケースの内径が直径８５ｍｍ、内側ケース外形が直径４５ｍｍで、Ｕ字転回部の幅は２０ｍｍで、ダミーケーブルとして１２５μｍ厚のＰＥＴフィルムを３枚用いた。
【００３１】
［回転コネクタＣ］
実施例Ｃ１〜Ｃ４は芯材として、実施例Ｂ１〜Ｂ４と同様に、厚さ３０μｍ、幅２．０ｍｍの４芯の平角導体を、用いたものである。ここで、まず実施例Ｃ１〜Ｃ４は、外側又は内側のいずれかの被覆樹脂層の被覆樹脂に関して、接着剤層を含む両被覆層の比率（接着剤層無し絶縁フィルム厚／接着剤層あり絶縁フィルム厚）を約７６％か９５％の範囲にした場合で、さらに、比較例Ｃ０は絶縁フィルムの両側に接着剤層を設けたもので、比較例Ｃ１，Ｃ２は接着剤層を片側に設けて、さらに接着剤層を含む両被覆層の比率を５０％以下とした場合で、比較例Ｃ２は、接着剤層を含む両被覆層の比率を２００％以上に設定した場合である。
表４に示す構成のフラットケーブルを、特開平５−１８４０４１号公報の図１に記載されたフラットケーブル巻回方向にＵターン部を有するものでローラー部材を用いる回転コネクタに組み込んだ。フラットケーブルが収まる空間の大きさは外側ケースの内径が直径８５ｍｍ、内側ケース外形が直径４５ｍｍで、Ｕ字転回部の幅は２０ｍｍで、フラットケーブルが接するローラーの径は１７ｍｍである。
【００３２】
試験例
得られたフラットケーブルと回転コネクタに対し、下記の試験を行った。試験結果を表１〜４に合わせて示した。
【００３３】
（耐屈曲性）
高温（９０℃）にて屈曲半径３．５〜１０ｍｍに曲げたり真っ直ぐに伸ばしたりを繰り返し、フラットケーブル内の芯材が破断するまでの回数を測定し対数平均をとった。数字が大きいほど優れていることになる。
（回転コネクタ高温耐久試験）
高温（９０℃）にて、回転コネクタを毎秒５回転の速度で左右２回転ずつを１サイクルとして、芯材が破断するまで動作させた。５０万サイクル以上耐久した場合を合格とした。
【００３４】
表１〜４に実施例と比較例を示す。基材フィルム・表面改質処理の種類、絶縁フィルムの構成を変えた場合の実施例について回転コネクタの各仕様ごとにまとめている。また、９０℃という高温環境下では芯材の両面を接着層で挟む従来構造を有するフラットケーブルでは接着剤の軟質化により十分な特性を発揮できない例が比較例Ａ０、Ｂ０、Ｃ０に示されている。
また表１〜４では、接着剤層無しフィルム厚／接着剤層ありフィルム厚の値を百分率で示した。
【００３５】
【表１】
2009076281.tif 000003
【００３６】
【表２】
2009076281.tif 000004
【００３７】
【表３】
2009076281.tif 000005
【００３８】
【表４】
2009076281.tif 000006
【００３９】
実施例Ａ１〜Ａ４、実施例Ｂ１〜Ｂ１２、比較例Ａ１〜Ａ２、比較例Ｂ１〜Ｂ２は、基材フィルム、接着層、プライマー層からなるラミネートフィルムの総厚と、接着層無しフィルムの厚さの比の他、接着層やプライマー層の種類によって性能がどう変化するか確認評価したものである。それぞれのフィルム厚さの比についても表にまとめている。本発明で用いた接着層やプライマー層の範囲では、用いた接着層やプライマー層の種類によらず以下の構成比率が好適であると判断された。好適な範囲の構成比率は、接着層無しフィルムの厚さは、向かい合うラミネートフィルム総厚の半分以上、２倍以下である。
さらに、実験例Ｃの実施例Ｃ１〜Ｃ４、比較例Ｃ１〜２からも、上記と同様の結果が得られた。
【００４０】
また、接着層無しフィルムの表裏によっても大いに影響を受ける様子が確認できた。回転コネクタＡの一方向単純スパイラル形状の場合は巻回の外側に位置する方、回転コネクタＢのフラットケーブル巻回方向にＵターン部を有するものでダミーケーブルを用いるタイプの場合はＵ字転回部にて外側に位置する方を接着層無しフィルムで構成する場合の方が高い耐久性能を発揮する。これは、フラットケーブルが高温環境下で屈曲する際に接着剤が軟質化して内部の芯材が自由に動くことが可能となり、そのときに芯材が曲がるまいと抗う結果、芯材が屈曲の外側へ移動し、芯材の位置がフラットケーブルの屈曲時の中心線から外れてしまう結果である。
【００４１】
一方、回転コネクタＣのフラットケーブル巻回方向にＵターン部を有するものでローラー部材を用いるタイプの場合は、Ｕ字転回部の内側に接着層無しフィルムを位置する方が耐久性が高かった。これはローラーの当たる面側に接着層が存在すると、回転時にローラーによってフラットケーブルがしごかれ接着剤が変形して逃げてしまい、その結果フラットケーブルの絶縁フィルム厚さが一様ではなくなり、薄肉部に屈曲歪みが集中して比較的早期に破断に至ると考えられる。
以上より、本発明の回転コネクタとそれに用いるフラットケーブルが優れた耐屈曲性や高温特性を示すことが確認された。
【図面の簡単な説明】
【００４２】
【図１】本発明の一実施態様の回転コネクタに内蔵されるフラットケーブルの概略断面図である。
【図２】本発明の一実施態様の回転コネクタに内蔵されるフラットケーブルを製造する装置の一例の説明図である。
【図３】本発明の回転コネクタの好ましい一実施態様を示す横断面図である。
【図４】従来の回転コネクタに内蔵されるフラットケーブルの概略断面図である。
【符号の説明】
【００４３】
１  基材フィルムと接着層を有するラミネート絶縁フィルム
２  基材フィルムからなる絶縁フィルム
２ａ、２ｂ  基材フィルム
３  芯材
４  熱ローラー
５  接着剤層
１２  基材フィルム
１３  芯材
１５  接着剤層
２１  フラットケーブル
２１ａ  巻き方向反転部
２３  内側ケース
２３ａ  胴部
２５  外側ケース
２５ａ  外筒部
３１Ａ、３１Ｂ、３１Ｃ  ダミーケーブル
３１ａ、３１ｂ、３１ｃ  巻き方向反転部
【図１】
2009076281.tif 000007
【図２】
2009076281.tif 000008
【図３】
2009076281.tif 000009
【図４】
2009076281.tif 000010